Podtech/llm-jp-corpus-v4-ja_patent huggingface dataset:
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
取付けポートおよび骨移植片ポートを有している本体と、
前記本体に対して可動な頂部部材と、
最近位部分と、
前記本体内に少なくとも一部が位置決めされ、挿入器具に連結するように構成されたインサート構造体と、を備えている拡張可能なインプラントにおいて、
前記インサート構造体は、前記挿入器具に対する前記インプラントの前記最近位部分の位置を固定するように構成されていることを特徴とする拡張可能なインプラント。
【請求項２】
前記本体はポリマーにより構成され、前記インサート構造体は金属材料により構成されていることを特徴とする、請求項１に記載の拡張可能なインプラント。
【請求項３】
前記本体はＰＥＥＫであり、前記インサート構造体がチタン合金、ステンレス鋼合金およびコバルトクロム合金のうちのいずれか１つであることを特徴とする、請求項２に記載の拡張可能なインプラント。
【請求項４】
液圧式に拡張するように構成されていることを特徴とする、請求項１に記載の拡張可能なインプラント。
【請求項５】
前記頂部部材および本体の中を通って延在する骨移植片開口部をさらに備えており、
前記骨移植片ポートは、前記骨移植片開口に流体連通していることを特徴とする、請求項１に記載の拡張可能なインプラント。
【請求項６】
前記本体が前記挿入器具に対して回転するのを防止するために、前記挿入器具上にあるタブに連結するように構成され、前記本体内に形成されたトルク抵抗ポートをさらに備えていることを特徴とする、請求項１に記載の拡張可能なインプラント。
【請求項７】
前記インサート構造体は、前記挿入器具とねじ込み接続するように構成されていることを特徴とする、請求項１に記載の拡張可能なインプラント。
【請求項８】
前記取付けポートは、滑らかな表面を有しており、前記インサート構造体のねじ山付きの開口と同心であることを特徴とする、請求項１に記載の拡張可能なインプラント。
【請求項９】
前記本体は、前記インサート構造体が中に配置される開口を有していることを特徴とする、請求項１に記載の拡張可能なインプラント。
【請求項１０】
取付けポートおよび骨移植片ポートを有する本体と、
頂部部材と、
底部部材と、
前記底部部材に連結され、挿入器具に連結するように構成される構造的なインサートと、
前記底部部材に連結され、前記拡張可能なインプラントにかかる挿入荷重を分散するように構成された少なくとも１つの支持タブと、を備えている拡張可能なインプラントにおいて、
前記インサート構造体が前記本体と異なる材料により形成されていることを特徴とする拡張可能なインプラント。
【請求項１１】
前記本体はポリマーにより構成され、前記インサート構造体は金属により構成されていることを特徴とする、請求項１０に記載の拡張可能なインプラント。
【請求項１２】
前記本体はＰＥＥＫであり、
前記インサート構造体は、チタン合金、ステンレス鋼合金およびコバルトクロム合金のうちのいずれか１つであることを特徴とする、請求項１０に記載の拡張可能なインプラント。
【請求項１３】
前記拡張可能なインプラントは、液圧式に拡張するように構成されていることを特徴とする、請求項１０に記載の拡張可能なインプラント。
【請求項１４】
前記本体が挿入器具に対して回転するのを防止するために、前記挿入器具上にあるタブに連結するように構成された前記本体内に形成されたトルク抵抗ポートをさらに備えていることを特徴とする、請求項１０に記載の拡張可能なインプラント。
【請求項１５】
前記インサート構造体は、挿入器具とのねじ込み接続するように構成されていることを特徴とする、請求項１０に記載の拡張可能なインプラント。
【請求項１６】
前記頂部部材、本体および底部部材の中を通って延在する骨移植片開口をさらに備えてり、
前記骨移植片ポートは、前記骨移植片開口と流体連通するように構成されていることを特徴とする、請求項１０に記載の拡張可能なインプラント。
【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
無線電力システムであって、
患者の組織の外側のエバネッセント場を操作することによって無線電力を送信して、組織の内側に伝搬場を生成し、それによって組織内に空間的に集束した場を生成するように構成される、１つまたは複数のサブ波長構造体を有する外部モジュールと、
前記外部モジュールから前記無線電力を受け取るように構成される移植可能モジュールであって、前記移植可能モジュールが、前記組織のパラメータを感知するように、または前記組織に刺激を与えるように構成される、少なくとも１つのセンサーまたは刺激装置を含む、移植可能モジュールと、
を含む、無線電力システム。
【請求項２】
請求項１に記載のシステムであって、前記少なくとも１つのセンサーが、熱センサー、化学センサー、圧力センサー、酸素センサー、ＰＨセンサー、流量センサー、電気センサー、歪みセンサー、磁気センサー、および画像センサーからなる群から選ばれる、システム。
【請求項３】
請求項１に記載のシステムであって、前記少なくとも１つの刺激装置が、電気刺激装置、光学刺激装置、化学刺激装置、および機械刺激装置からなる群から選ばれる、システム。
【請求項４】
請求項１に記載のシステムであって、前記移植可能な機器が、交換可能なセンサーおよび／または刺激装置を可能にするモジュラー設計を含む、システム。
【請求項５】
請求項１に記載のシステムであって、前記１つまたは複数のサブ波長構造体が、パッチ、ＰＩＦＡ、接地面内のスロット、接地面内のクロススロット、接地面内の開口部結合円形スロット、および接地面内のハーフスロットからなる群から選ばれる、システム。
【請求項６】
請求項１に記載のシステムであって、前記外部モジュールがさらに、
前記１つまたは複数のサブ波長構造体に結合された１つまたは複数の励起ポートと、
前記１つまたは複数の励起ポートに結合された少なくとも１つの電圧源と、
前記１つまたは複数のサブ波長構造体に伝送された位相および／または振幅を調節して、前記組織内の前記空間的に集束した場の焦点の位置を調節するように構成された制御装置と、
を含む、システム。
【請求項７】
請求項６に記載のシステムであって、前記制御装置が、移植されたモジュールから受け取られた無線エネルギーの電力レベルを検出するように構成され、かつ、フィードバックを提供して前記焦点の前記位置を自動的に調節し無線電力送信を最適化するように構成される、システム。
【請求項８】
請求項１に記載のシステムであって、前記移植可能モジュールが、心臓の上、中、または近傍に移植されて前記心臓にリードレスペーシングを適用するように構成される、システム。
【請求項９】
請求項１に記載のシステムであって、前記移植可能モジュールが、脳の上、中、または近傍に移植されて前記脳に脳深部刺激を与えるように構成される、システム。
【請求項１０】
請求項１に記載のシステムであって、前記移植可能モジュールが、脊髄の上、中、または近傍に移植されて前記脊髄に刺激を与えるように構成される、システム。
【請求項１１】
請求項１に記載のシステムであって、前記移植可能モジュールが舌の筋肉組織の上、中、または近傍に移植されて前記舌に刺激を与え、閉塞性睡眠時無呼吸を治療するように構成される、システム。
【請求項１２】
組織を刺激するための無線電力システムの作動方法であって、
組織の中に移植された無線電力受信モジュールに給電するために、前記無線電力受信モジュールへ中間場伝搬波を送信することと、
前記組織のパラメータを感知するとともに前記組織から感知された前記パラメータに基づいて前記組織に刺激を提供する前記無線電力受信モジュールを作動させることと、
を含む方法。
【請求項１３】
請求項１２に記載の作動方法であって、前記送信するステップが、前記組織の外側のエバネッセント場を操作して前記組織の内側に伝搬場を生成し、それによって前記組織内に空間的に集束した場を生成することをさらに含む、作動方法。
【請求項１４】
請求項１２に記載の作動方法であって、前記伝搬波の焦点を調節して前記モジュールへの無線電力送信を最適化することをさらに含む、作動方法。
【請求項１５】
請求項１２に記載の作動方法であって、前記送信するステップが、前記波に垂直で組織境界面に平行な電磁場を生成するサブ波長構造体を用いて、前記波を送信することを含む、作動方法。
【請求項１６】
組織を通して無線電力を伝送するように構成された装置であって、
基板と、
前記基板上に配置された少なくとも１つのサブ波長構造体と、
前記少なくとも１つのサブ波長構造体に結合された少なくとも１つの無線周波数ポートと、
前記少なくとも１つの無線周波数ポートに結合された電圧または電流源と、
前記電圧または電流源を用いて前記少なくとも１つの無線周波数ポートおよびサブ波長構造体の励起を管理して、組織の外側のエバネッセント場を操作し、前記組織の内側に伝搬場を生成し、それによって前記組織内に空間的に集束した場を生成するように構成された制御装置と、
を含む装置。
【請求項１７】
請求項１６に記載の装置であって、前記少なくとも１つのサブ波長構造体の各々が、それぞれの独立した無線周波数ポートに結合されている、装置。
【請求項１８】
組織を通して無線電力を伝送するように構成された装置であって、
組織の内側に伝搬場を生成し、それによって前記組織内に空間的に適応可能な電磁場を生成するように構成され配置された、複数のサブ波長構造体と、
前記複数のサブ波長構造体のそれぞれ１つを個別に励起し、それによって前記空間的に適応可能な電磁場を生成するように構成され配置された、複数の独立した供給ポートと、
ピーク表面電磁場を再分配して、許容可能な無線周波数出力電力を増加させるように構成された制御装置と、
を含む装置。
【請求項１９】
請求項１８に記載の装置であって、前記複数のサブ波長構造体が、組織内に適応ステアリング磁場を生成するようにさらに構成され配置された、装置。
【請求項２０】
請求項１８に記載の装置であって、前記空間的に集束し且つ適応可能なステアリング磁場／信号が、３００ＭＨｚと３０００ＭＨｚの間の周波数を有する、装置。
【手続補正書】
【提出日】平成29年8月14日(2017.8.14)
【手続補正１】
【補正対象書類名】特許請求の範囲
【補正対象項目名】全文
【補正方法】変更
【補正の内容】
【特許請求の範囲】
【請求項１】
撮影領域の一部にＸ線を照射するＸ線ソースと、
前記撮影領域の一部を透過した前記Ｘ線を検出するＸ線センサーと、
前記Ｘ線ソースと前記Ｘ線センサーが前記撮影領域の複数の方向から前記撮影領域の実質的な全面積を透過するＸ線を照射及び検出するように、前記Ｘ線ソース及び前記Ｘ線センサーの少なくとも一つを移動させる移動部と、
前記Ｘ線センサーで検出される前記撮影領域の全面積に対するＸ線検出結果を用いて前記撮影領域全体のＣＴ画像を実現する画像処理部と、
を含んでなる、Ｘ線画像撮影装置。
【請求項２】
前記撮影領域の一部は前記撮影領域の１／２未満の一部領域である、請求項１に記載のＸ線画像撮影装置。
【請求項３】
前記Ｘ線センサーは、前記撮影領域の長さ方向に対して垂直な断面を内包する最小円の半径＊拡大率未満の幅を有する、請求項１に記載のＸ線画像撮影装置。
【請求項４】
前記移動部は、前記撮影領域を挟んで前記Ｘ線ソースと前記Ｘ線センサーとが互いに対向するように支持し、前記Ｘ線ソースと前記Ｘ線センサーとの間の回転軸を中心に回転する回転アームを含む、請求項１に記載のＸ線画像撮影装置。
【請求項５】
前記移動部は、Ｘ線画像撮影の少なくとも一部の区間で前記回転軸を前記回転軸と交差する平面に沿って移動させる回転アーム移動部を含む、請求項４に記載のＸ線画像撮影装置。
【請求項６】
前記回転アーム移動部は、前記回転軸を前記平面上の曲線軌跡に沿って移動させる、請求項５に記載のＸ線画像撮影装置。
【請求項７】
撮影領域の一部にＸ線を照射するＸ線ソースと、
前記撮影領域の一部を透過した前記Ｘ線を検出するＸ線センサーと、
前記撮影領域を挟んで前記Ｘ線ソースと前記Ｘ線センサーとが互いに対向するように支持し、前記Ｘ線ソースと前記Ｘ線センサーとの間の回転軸を中心に回転可能である回転アームと、
Ｘ線画像撮影の少なくとも一部の区間で前記回転軸を前記回転軸と交差する曲線軌跡に沿って移動させる回転アーム移動部と、
を含んでなる、Ｘ線画像撮影装置。
【請求項８】
前記回転アーム移動部は、前記Ｘ線ソースと前記Ｘ線センサーが前記Ｘ線画像撮影中に前記撮影領域の複数の方向から前記撮影領域の実質的な全面積を透過するＸ線を照射及び検出するように前記回転軸を移動させる、請求項７に記載のＸ線画像撮影装置。
【請求項９】
前記回転アーム移動部を介して前記回転アームを支持する回転アーム支持部をさらに含む、請求項７に記載のＸ線画像撮影装置。
【請求項１０】
前記回転アーム移動部は、前記回転軸が連結され、前記回転アーム支持部に移動可能に設置される移動ベースと、
前記回転アーム支持部に対して前記移動ベースを移動させて前記回転軸が前記曲線軌跡に沿って移動するようにする第１駆動部と、
前記移動ベースに対して前記回転軸を回転させる第２駆動部と、
を含む、請求項９に記載のＸ線画像撮影装置。
【請求項１１】
前記回転アーム移動部は前記回転アーム支持部に設置される曲線レールをさらに含み、前記移動ベースは前記曲線レールに沿って移動可能に設置される、請求項１０に記載のＸ線画像撮影装置。
【請求項１２】
前記回転アーム移動部は、前記回転軸が連結され、前記回転アーム支持部に連結軸で連結される連結アームと、
前記回転アーム支持部に対して前記連結軸を回転させて前記回転軸が前記曲線軌跡に沿って移動するようにする第１駆動部と、
前記連結アーム駆動部に対して前記回転軸を回転させる第２駆動部と、
を含む、請求項９に記載のＸ線画像撮影装置。
【請求項１３】
前記連結軸及び前記回転軸の少なくとも一つを前記連結アームに対して移動させる軸調整部をさらに含む、請求項１２に記載のＸ線画像撮影装置。
【請求項１４】
前記軸調整部は前記連結軸と前記回転軸間の間隔を調節する、請求項１３に記載のＸ線画像撮影装置。
【請求項１５】
前記Ｘ線センサーは前記撮影領域の長さ方向に対して垂直な断面を内包する最小円の半径＊拡大率未満の幅を有する、請求項７に記載のＸ線画像撮影装置。
【請求項１６】
前記撮影領域の一部は前記撮影領域の１／２未満の一部領域である、請求項７に記載のＸ線画像撮影装置。
【請求項１７】
ａ）撮影領域の複数の方向からそれぞれ前記撮影領域の１／２未満の一部領域に対してＸ線を照射及び検出して、前記撮影領域の実質的な全面積を透過したＸ線検出結果を得る段階と、
ｂ）前記Ｘ線検出結果を用いて前記撮影領域全体のＣＴ画像を実現する段階と、
を含んでなる、Ｘ線画像撮影方法。
【請求項１８】
前記ｂ）段階は、前記Ｘ線検出結果を再構成アルゴリズムで再構成して前記ＣＴ画像を実現する、請求項１７に記載のＸ線画像撮影方法。
【請求項１９】
前記再構成アルゴリズムは、ＣＳ（Ｃｏｍｐｒｅｓｓｅｄ  Ｓｅｎｓｉｎｇ）基盤の反復再構成アルゴリズムまたはＢＰ（Ｂａｃｋ  Ｐｒｏｊｅｃｔｉｏｎ）を含むＦＢＰ（Ｆｉｌｔｅｒ  Ｂａｃｋ  Ｐｒｏｊｅｃｔｉｏｎ）アルゴリズムの少なくとも一つである、請求項１８に記載のＸ線画像撮影方法。
【請求項２０】
前記ａ）段階の後であって前記ｂ）段階の前に、前記撮影領域の位置ごとの前記再構成条件が一定であるように前記Ｘ線検出結果を補正する段階をさらに含む、請求項１８に記載のＸ線画像撮影方法。
【請求項２１】
前記Ｘ線検出結果は、前記撮影領域に対する前記Ｘ線の透過方向ごとに補正される、請求項２０に記載のＸ線画像撮影方法。
【請求項２２】
前記再構成条件は、前記Ｘ線検出結果の拡大率及び前記撮影領域内の前記Ｘ線の重畳回数の少なくとも一つである、請求項２０または２１に記載のＸ線画像撮影方法。
【請求項２３】
撮影領域の複数の方向からそれぞれ前記撮影領域の１／２未満の一部領域を透過するＸ線照射方向を決定する段階と、
前記Ｘ線照射方向に沿って前記Ｘ線を照射し、前記撮影領域を透過したＸ線検出結果を得る段階と、
前記Ｘ線検出結果を用いて前記撮影領域全体のＣＴ画像を実現する段階と、
を含んでなる、Ｘ線画像撮影方法。
【請求項２４】
前記ａ）段階は、前記Ｘ線が前記撮影領域の実質的な全面積を透過するように前記Ｘ線照射方向を決定する、請求項２３に記載のＸ線画像撮影方法。
【請求項２５】
前記ａ）段階は、前記撮影領域の位置ごとの前記Ｘ線照射角度範囲が基準値以上となるように前記Ｘ線照射方向を決定する、請求項２４に記載のＸ線画像撮影方法。
【請求項２６】
前記基準値は９０°または１８０°以上３６０°未満である、請求項２５に記載のＸ線画像撮影方法。
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
対象のバイタルサインをモニタするセンサ装置であって、
バイタルサインを表すか又はバイタルサインに関連付けられるセンサ信号を測定するよう構成される少なくとも１つのセンサと、
（ｉ）前に測定されたセンサ信号に基づき、前記対象の健康状態の変化を決定し、（ｉｉ）不成功の測定を識別し、及び（ｉｉｉ）信頼性の低いセンサ信号を識別するため、前記センサ信号を評価するよう構成される評価ユニットと、
前記評価の結果に基づき前記測定間隔を自動的に変化させるため、前記少なくとも１つのセンサを制御するよう構成される制御ユニットとを有する、センサ装置。
【請求項２】
前記対象の前記健康状態が改善している場合、前記測定間隔を増加させ、及び／又は前記対象の前記健康状態が悪化している場合、前記測定間隔を減少させるため、前記制御ユニットが、前記少なくとも１つのセンサを制御するよう構成される、請求項１に記載のセンサ装置。
【請求項３】
少なくとも最小の測定間隔でセンサ信号を測定するため、前記制御ユニットが、前記少なくとも１つのセンサを制御するよう構成される、請求項２に記載のセンサ装置。
【請求項４】
前記制御ユニットが、前記対象の前記健康状態の変化の深刻さに基づき、前記測定間隔が変化される程度を制御するよう構成される、請求項２に記載のセンサ装置。
【請求項５】
所定の時間期間又は所定の回数を表す、所定の期間の間、又は不成功の測定若しくは信頼性の低いセンサ信号が識別された場合、前記測定が成功するまで若しくは前記センサ信号が信頼性が高くなるまで、前記センサ信号の測定を繰り返すため、前記制御ユニットが、前記少なくとも１つのセンサを制御するよう構成される、請求項１に記載のセンサ装置。
【請求項６】
すべての測定が不成功だった場合又はすべての測定されたセンサ信号が信頼性が低い場合であっても、前記測定されたセンサ信号の１つを出し、
追加的な所定の期間に関して前記センサ信号の測定を繰り返し、及び
前記追加的な所定の期間の間に測定が成功している場合又は信頼性が高いセンサ信号が測定された場合、前記追加的な所定の期間の間に測定された新規センサ信号により前記出されたセンサ信号を置き換えるため、
前記制御ユニットが、前記少なくとも１つのセンサを制御するよう構成される、請求項５に記載のセンサ装置。
【請求項７】
前記測定されたセンサ信号が、１つ又は複数の最後の測定されたセンサ信号から、前記２つ又はこれ以上の最後の測定されたセンサ信号から決定される予想又は推定センサ信号トレンド線から、他のセンサにより測定される１つ又は複数のセンサ信号から、及び／又は外部ソースから受信される情報から、少なくとも第１の所定の絶対量又は相対量分ずれる場合、前記評価ユニットが、前記対象の前記健康状態が変化したと決定するよう構成される、請求項１に記載のセンサ装置。
【請求項８】
前記測定されたセンサ信号から得られる健康状態信号が、現在の健康状態信号から、前記２つ又はこれ以上の最後の健康状態信号から決定される予想又は推定健康状態トレンド線から、及び／又は別のソースから受信される情報から、少なくとも第１の所定の絶対量又は相対量分ずれる場合、前記評価ユニットが、前記対象の前記健康状態が変化したと決定するよう構成される、請求項１に記載のセンサ装置。
【請求項９】
センサ信号が測定されることができない場合、又は前記測定されたセンサ信号が、１つ若しくは複数の最後の測定されたセンサ信号から、前記２つ若しくはこれ以上の最後の測定されたセンサ信号から決定される予想若しくは推定センサ信号トレンド線から、若しくは、１つ若しくは複数の他のセンサにより測定される少なくとも１つのセンサ信号から、少なくとも第２の所定の絶対量若しくは相対量分ずれる場合、前記評価ユニットが、測定が不成功だった、又はセンサ信号の信頼性が低いと決定するよう構成される、請求項１に記載のセンサ装置。
【請求項１０】
前記評価ユニットが、前記対象の物理的状態に基づき、前記第１の及び／又は第２の所定の絶対量又は相対量を動的に調整するよう構成される、請求項７に記載のセンサ装置。
【請求項１１】
前記評価ユニットが、前記状態が物理活動を実行していることを示すかどうか及び／又は前記対象の物理活動の種類に基づき、前記第１の及び／又は第２の所定の絶対量又は相対量を動的に調整するよう構成される、請求項１０に記載のセンサ装置。
【請求項１２】
前記制御ユニットが、計画された測定時間に先立ち測定を開始するため、前記少なくとも１つのセンサを制御するよう構成される、請求項２に記載のセンサ装置。
【請求項１３】
対象のバイタルサインをモニタする方法において、
バイタルサインを表す又はバイタルサインに関連付けられるセンサ信号を測定するステップと、
（ｉ）前に測定されたセンサ信号に基づき、前記対象の前記健康状態の変化を決定し、（ｉｉ）不成功の測定を識別し、及び（ｉｉｉ）信頼性の低いセンサ信号を識別するため、前記センサ信号を評価するステップと、
前記評価の結果に基づき、前記測定間隔を自動的に変化させるため、前記センサ信号の前記測定を制御するステップとを有する、方法。
【請求項１４】
対象のバイタルサインをモニタする患者モニタリング装置であって、
少なくとも１つのセンサにより測定されるバイタルサインを表す又はバイタルサインに関連付けられるセンサ信号を受信し、前記少なくとも１つのセンサに制御情報を送信するよう構成されるモニタインタフェースと、
（ｉ）前に受信したセンサ信号に基づき、前記対象の健康状態の変化を決定し、（ｉｉ）不成功の測定を識別し、及び（ｉｉｉ）信頼性の低いセンサ信号を識別するため、受信したセンサ信号を評価するよう構成される評価ユニットと、
前記評価の結果に基づき、前記測定間隔を自動的に変化するため、前記少なくとも１つのセンサの制御に関する制御情報を生成するよう構成される制御ユニットとを有する、患者モニタリング装置。
【請求項１５】
対象のバイタルサインをモニタする方法において、
少なくとも１つのセンサにより測定されるバイタルサインを表す又はバイタルサインに関連付けられるセンサ信号を受信するステップと、
（ｉ）前に受信したセンサ信号に基づき、前記対象の健康状態の変化を決定し、（ｉｉ）不成功の測定を識別し、及び（ｉｉｉ）信頼性の低いセンサ信号を識別するため、受信したセンサ信号を評価するステップと、
前記評価の結果に基づき、前記測定間隔を自動的に変化するため、前記少なくとも１つのセンサの制御に関する制御情報を生成するステップと、
前記少なくとも１つのセンサに対して前記制御情報を送信するステップとを有する、方法。
【手続補正書】
【提出日】平成29年8月31日(2017.8.31)
【手続補正１】
【補正対象書類名】特許請求の範囲
【補正対象項目名】全文
【補正方法】変更
【補正の内容】
【特許請求の範囲】
【請求項１】
カテーテル前進デバイスであって、
カテーテル入口及びカテーテル出口を有するハウジングと、
前記カテーテル入口と前記カテーテル出口との間に設けられた手動式の指で操作される駆動メカニズムとを含み、
前記駆動メカニズムは、前記ハウジングに挿入されるカテーテルに摩擦係合し、前記カテーテルを、前記ハウジングを通して前進させ、
前記駆動メカニズムが、指で作動される駆動ホイールを有するニップ駆動部を含み、
前記ハウジングが、チャネルと、ロックメカニズムとを更に含み、
前記ハウジングは、前記チャネルに挿入されたニードルに沿って摺動させて位置付け可能で、かつ前記ロックメカニズムにより前記ニードル上の一定の相対位置にロック可能であり、
前記ロックメカニズムは、前記ニードルに対して摩擦係合し、前記ニードルの前記ハウジングに対する相対位置を固定するように、前記チャネルに沿って配置される、付勢されたアームを含むことを特徴とするカテーテル前進デバイス。
【請求項２】
請求項１に記載のカテーテル前進デバイスであって、
前記チャネルが、前記ハウジングの縁部に沿って設けられることを特徴とするカテーテル前進デバイス。
【請求項３】
請求項１に記載のカテーテル前進デバイスであって、
前記ニップ駆動部は、前記駆動ホイールに対向する遊動ホイールを更に含むことを特徴とするカテーテル前進デバイス。
【請求項４】
請求項３に記載のカテーテル前進デバイスであって、
前記ハウジングが、前側部材と反対側の後側部材とを含み、前記前側部材及び前記後側部材は相互に平行な平面上にそれぞれ延在し、
前記駆動ホイールと前記遊動ホイールは、前記前側部材と前記後側部材との間に配置され、かつ前記前側部材及び前記後側部材に対して垂直な回転軸を有することを特徴とするカテーテル前進デバイス。
【請求項５】
請求項４に記載のカテーテル前進デバイスであって、
前記駆動ホイールの手動操作のために前記駆動ホイールに取り付けられた第１の外部指操作用プレートを更に含むことを特徴とするカテーテル前進デバイス。
【請求項６】
請求項５に記載のカテーテル前進デバイスであって、
前記ハウジングにおける前記第１の外部指操作用プレートの反対側で前記駆動ホイールに取り付けられた第２の外部指操作用プレートを更に含むことを特徴とするカテーテル前進デバイス。
【請求項７】
請求項６に記載のカテーテル前進デバイスであって、
前記第１の外部指操作用プレート及び前記第２の外部指操作用プレートの少なくとも１つが、前記ハウジングの縁部を超えて径方向に延出することを特徴とするカテーテル前進デバイス。
【請求項８】
請求項３に記載のカテーテル前進デバイスであって、
前記ハウジングが、前側部材と反対側の後側部材とを含み、前記前側部材及び前記後側部材は相互に平行な平面上にそれぞれ延在し、
前記駆動ホイールと前記遊動ホイールは、前記前側部材と前記後側部材との間に少なくとも部分的に配置され、かつ前記前側部材及び前記後側部材に対して平行な回転軸を有することを特徴とするカテーテル前進デバイス。
【請求項９】
請求項８に記載のカテーテル前進デバイスであって、
前記駆動ホイールの外周部分は、前記駆動ホイールの手動操作のために前記前側部材または前記後側部材を通して外部に延出することを特徴とするカテーテル前進デバイス。
【請求項１０】
請求項８に記載のカテーテル前進デバイスであって、
前記駆動ホイール及び前記遊動ホイールの各々の外周部分は、それぞれ前記前側部材及び前記後側部材の一方を介して外部に延出し、前記駆動ホイールと前記遊動ホイールは機能的に交換可能であることを特徴とするカテーテル前進デバイス。
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
患者上に配置又は識別された最低で三箇所の基準マーカによって確立された座標系であって、外科的手技のための一定の基準点を生成するように構成された座標系と、
標的体積付近で前記患者に形成された単一の手術ポートに少なくとも部分的に挿入されるように構成された少なくとも一つのプローブであって、シャフトと、その遠位端にある少なくとも一つの器具とを含み、前記少なくとも一つの器具が、i)非侵襲性技術を用いて、前記患者の前記標的体積の少なくとも一画像を供給するように構成された少なくとも一つのセンサと、ii)組織変性、触覚フィードバック、及び位置確認からなる群から選択された少なくとも一種の技術とを含み、前記シャフトの近位端が、前記器具の位置及び向きの少なくとも一方を操作することが可能なように、少なくとも一つのモータに動作可能に接続されている、少なくとも一つのプローブと、
i)前記外科的手技を開始する前に、治療計画の一部として、前記センサからの前記少なくとも一画像を前記座標系に組み込み、ii)前記標的体積にアクセスするための前記単一の手術ポートを前記患者に形成する位置を識別し、iii)前記標的体積を治療するために前記治療計画の指示に従って前記プローブの少なくとも一部分を操作し、iv)前記器具を実時間で追跡し、且つv)前記器具の前記位置を画面上に表示するように構成された、少なくとも一つの制御器と
を備える、前記外科的手技を実施するためのシステム。
【請求項２】
前記少なくとも一つのプローブが、互いに交換可能な一連のプローブを含み、前記プローブのうち少なくとも二つが、前記単一の手術ポートに少なくとも部分的に順次挿入される、請求項1に記載のシステム。
【請求項３】
前記プローブを挿入する前に、前記ポートに少なくとも部分的に挿入される少なくとも一つのシースをさらに備え、前記シースの位置及び向きが、前記プローブを、前記ポートに、またそこから、同じ軌跡、又は実質的に同じ軌跡に沿って、全て所望の向きに維持しながら、前記プローブを前記シースに挿入し、そこから抜き出すことが可能なように、治療計画システムによって決定される、請求項2に記載のシステム。
【請求項４】
前記少なくとも一つのプローブが、(i)前記プローブの少なくとも一部分を既知の基準点に対して追跡するために使用される位置確認技術と、(ii)撮像技術とを含む、請求項1に記載のシステム。
【請求項５】
前記プローブの前記位置確認技術が、前記基準マーカのそれぞれの位置を識別するように構成される、請求項4に記載のシステム。
【請求項６】
前記プローブが前記ポートに挿入されたときに、前記撮像技術によって生成される画像が、前記センサによって供給された前記少なくとも一画像と融合され、それによって前記少なくとも一画像において決定された前記標的体積の位置が、前記座標系に登録される、請求項4に記載のシステム。
【請求項７】
前記単一の手術ポートに少なくとも部分的に被せて取り付けられる標的システムをさらに備え、前記標的システムが、基部と、前記基部の幾何学的中心から上方に延びるチューブとを含み、前記基部が前記患者に対して固定され、前記チューブが前記基部に対して回動可能であり、且つ前記プローブを中に受けるように構成され、前記プローブが、前記ベースを介して前記ポートに挿入される、請求項1に記載のシステム。
【請求項８】
前記チューブが、前記基部の方に、また前記基部から離れるように移動可能である、請求項7に記載のシステム。
【請求項９】
前記プローブが、その近位端に少なくとも一つのモータを含み、前記モータが、前記プローブの前記遠位端にある前記器具、及び前記器具の前記シャフトの少なくとも一方の動作を制御するように構成される、請求項1に記載のシステム。
【請求項１０】
前記少なくとも一つのセンサが、前記標的体積の内側の可視化を実現する内部組織超音波を含み、前記少なくとも一つのセンサが、前記標的体積の外側の可視化を実現する光ファイバを含む、請求項1に記載のシステム。
【請求項１１】
前記少なくとも一つのプローブが、第一のプローブ及び第二のプローブを含み、前記第一のプローブが、前記第二のプローブとは異なる少なくとも一種の技術を含み、
前記治療計画によって、前記単一の手術ポートを、前記第一のプローブと前記第二のプローブとが並行に中に挿入されるのを防止する寸法に設定する、請求項1に記載のシステム。
【請求項１２】
前記治療計画によって、前記単一の手術ポートを前記患者に形成する位置を識別する、請求項1に記載のシステム。
【手続補正書】
【提出日】平成29年10月5日(2017.10.5)
【手続補正１】
【補正対象書類名】明細書
【補正対象項目名】発明の名称
【補正方法】変更
【補正の内容】
【発明の名称】針の挿入のためのシステム
【手続補正２】
【補正対象書類名】特許請求の範囲
【補正対象項目名】全文
【補正方法】変更
【補正の内容】
【特許請求の範囲】
【請求項１】
患者に針（１０）を挿入するためのシステムであって、
前記針（１０）又は前記針を保持するように構成されているホルダー（１１）のいずれかを交互に把持及び解放するように構成されている捕捉ユニット機構を備えた捕捉ユニット（１６）と、
一連の別個の挿入ステップで患者に前記針を挿入するように適合されている制御可能な駆動機構（７２）であって、前記捕捉ユニットが挿入ステップ中に前記針（１０）又は前記ホルダー（１１）を把持し且つ挿入ステップの合間に前記針又は前記ホルダーを解放するように、前記捕捉ユニット機構と同期されている制御可能な駆動機構と
を含み、
前記制御可能な駆動機構は、各把持動作が前記針又は前記ホルダーのそれぞれの解放位置と実質的に同じ空間内の位置で前の挿入ステップに続いて行われるように、前記針又は前記ホルダーのいずれかの把持を可能にするべく配置されるように構成されている、システム。
【請求項２】
前記針又は前記ホルダーは、前記捕捉ユニットの所定の繰り返し可能な位置で把持される、請求項１に記載のシステム。
【請求項３】
前記捕捉ユニットに対する前記針又は前記ホルダーの位置を測定するための追跡システムを更に含む、請求項１又は２に記載のシステム。
【請求項４】
前記追跡システムはエミッター（３６）及びセンサー（１２）のセットを含み、前記エミッターのセットと前記センサーのセットのうちの１つが前記針又は前記ホルダーに配置され、前記エミッターのセットと前記センサーのセットのうちの他の１つが前記捕捉ユニットに配置されている、請求項３に記載のシステム。
【請求項５】
前記制御可能な駆動機構（７２）は、前記捕捉ユニットが患者の呼吸周期における所定の時点で前記針又は前記ホルダーを把持するように指令されることができるように、前記挿入ステップを患者の呼吸周期と同期させるように適合されている、請求項１から４のいずれか１項に記載のシステム。
【請求項６】
患者の呼吸周期を監視するために少なくとも１つの呼吸追跡センサー（７３）を更に含む、請求項５に記載のシステム。
【請求項７】
前記少なくとも１つの呼吸追跡センサーは外部の呼吸追跡システムの一部である、請求項６に記載のシステム。
【請求項８】
前記患者の呼吸周期における所定の時点は人工呼吸器から得られる信号から得られる、請求項５に記載のシステム。
【請求項９】
前記捕捉ユニット（１６）は、前記患者の呼吸周期における前記針又は前記ホルダーの前の解放時点と同じ前記呼吸周期の一般的な時点で前記針又は前記ホルダーを把持するように指令される、請求項５又は８に記載のシステム。
【請求項１０】
前記制御可能な駆動機構（７２）は、前記捕捉ユニットに取り付けられたロボットアクチュエーター、又は前記捕捉ユニットに対して前記針又は前記ホルダーを移動させるように適合されている運動機構のいずれかである、請求項１から９のいずれか１項に記載のシステム。
【請求項１１】
前記ホルダーは、概ね円筒形の形状を有する突起（６１）を含み、
前記捕捉ユニットは、機械的なクランプジョー（６０）を含み、
前記システムは、前記ホルダーが前記捕捉ユニットによってクランプされるように、前記クランプジョー（６０）を前記突起（６１）上で閉じるように適合されている作動機構を更に含み、
前記機械的なクランプジョーは、前記ホルダーが前記捕捉ユニットによってクランプされていないときに前記ホルダーの動きを周囲バリア内に制限するために、前記ホルダーに対する周囲バリアを形成する、請求項１から１０のいずれか１項に記載のシステム。
【請求項１２】
前記ホルダーは、位置決め特徴物の第１セット（３４）を備えたベースと、位置決めスピゴットとを含み、
前記捕捉ユニットは、前記ホルダーにある前記位置決め特徴物の第１セット（３４）と結合するように適合されている位置決め特徴物の第２セット（３２）と、前記スピゴット上で閉じるように適合されているクランプシステム（４３）とを含み、
前記システムは、前記ホルダーが前記捕捉ユニットによってクランプされるように、前記第１及び第２位置決め特徴物が結合された後に、前記クランプシステム（４３）を前記スピゴット上で閉じるように適合されている作動機構（４２）を更に含む、請求項１から１０のいずれか１項に記載のシステム。
【請求項１３】
前記ホルダーは、位置決め特徴物の第１セット（３４、３５）を備えたベースと、強磁性部とを含み、
前記捕捉ユニットは、前記ホルダーにある前記位置決め特徴物の第１セット（３４、３５）と結合するように適合されている位置決め特徴物の第２セット（３２）と、切り替え可能な磁場源（３３）とを含み、
前記システムは、前記第１及び第２位置決め特徴物が結合され、且つ前記ホルダーの前記強磁性部が前記捕捉ユニットの前記切り替え可能な磁場の源によってクランプされるように、前記磁場を切り換えるように適合されている作動機構を更に含む、請求項１から１０のいずれか１項に記載のシステム。
【請求項１４】
前記ホルダー（５１）は、前記ホルダーに取り付けられた可撓コード（５２）を含み、
前記捕捉ユニットは、
前記可撓コードが前記ホルダーから離れて取り付けられ、且つ作動時に前記可撓コードを引き込むように適合されているアクチュエーター（５３）と、
前記可撓コードが引き込まれたときに前記ホルダーがしっかりと嵌合するように成形されているドッキングポートと、
前記ドッキングポートの両側に配置され、且つ前記ホルダーの動きをそれらの間に制限するように構成されている一対のアーム（５０）と
を含む、請求項１から１０のいずれか１項に記載のシステム。
【請求項１５】
前記制御可能な駆動機構はレールのセット（８２）を有するスライドベース（８１）を更に含み、患者に前記針（１０）を挿入するために、前記制御可能な駆動機構の運動機構によって前記捕捉ユニット（６２）の基部を前記レールのセットに沿って駆動することができる、請求項１から１４のいずれか１項に記載のシステム。
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
一方向の依存関係を有するサブシステムを有する、コンピュータにより実装されるニューラルネットワーク上でパラメータスイープを実行するためのパラメータを評価する方法であって、
前記ニューラルネットワークのサブシステムを、前記サブシステム間の前記一方向の依存関係を決定することによって、直列化されたレイヤに直列化することと、
前記ニューラルネットワークのサブシステムを、前記サブシステムの独立性を決定することによって、並列化されたクラスタに並列化することと、
各入力パラメータが各サブシステムの前記出力を変更するかどうかに基づいて、各サブシステムを評価するために各サブシステムの入力パラメータを刈り込むことと、
を備える、方法。
【請求項２】
前記コンピュータにより実装されるニューラルネットワークは、メモリ手段を含み、並列化すること、直列化すること、および／または刈り込むことが、メモリストレージ要件、メモリアクセス時間、および／または計算時間に少なくとも部分的に依存する、請求項１に記載の方法。
【請求項３】
ネットワークの接続性、および／または前記パラメータスイープの活動レベルを監視することに基づいてサブシステムを定義すること、をさらに備える、請求項１に記載の方法。
【請求項４】
前記パラメータ評価のすべてのステップについて、各サブシステムの出力を記憶することをさらに備える、請求項３に記載の方法。
【請求項５】
パラメータ値の所望のセットを決定するために、前記システムの出力を評価することをさらに備える、請求項１に記載の方法。
【請求項６】
一方向の依存関係を有するサブシステムを有する、コンピュータにより実装されるニューラルネットワーク上でパラメータスイープを実行するためのパラメータを評価するための装置であって、
前記ニューラルネットワークのサブシステムを、前記サブシステム間の前記一方向の依存関係を決定することによって、直列化されたレイヤに直列化するための手段と、
前記ニューラルネットワークのサブシステムを、前記サブシステムの独立性を決定することによって、並列化されたクラスタに並列化するための手段と、
各入力が各サブシステムの前記出力を変更するかどうかに基づいて、各サブシステムの入力パラメータを刈り込むための手段と、
を備える、装置。
【請求項７】
前記コンピュータにより実装されるニューラルネットワークは、メモリ手段を含み、並列化するための手段、直列化するための手段、および／または刈り込むための手段が、メモリストレージ要件、メモリアクセス時間、および／または計算時間に少なくとも部分的に依存する、請求項６に記載の装置。
【請求項８】
ネットワークの接続性、および／または前記パラメータ評価の活動レベルを監視することに少なくとも部分的に基づいてサブシステムを定義するための手段をさらに備える、請求項６に記載の装置。
【請求項９】
前記スイープのすべてのステップについて、各サブシステムの出力を記憶するための手段をさらに備える、請求項８に記載の装置。
【請求項１０】
パラメータ値の所望のセットを決定するために、前記システムの出力を評価するための手段をさらに備える、請求項６に記載の装置。
【請求項１１】
一方向の依存関係を有するサブシステムを有するニューラルネットワーク上でパラメータスイープを実行するパラメータを評価するためのプログラムコードを記録した非一時的コンピュータ可読媒体であって、前記プログラムコードは、プロセッサによって実行されると、
前記ニューラルネットワークのサブシステムを、前記サブシステム間の前記一方向の依存関係を決定することによって、直列化されたレイヤに直列化することと、
前記ニューラルネットワークのサブシステムを、前記サブシステムの独立性を決定することによって、並列化されたクラスタに並列化することと、
各入力パラメータが各サブシステムの前記出力を変更するかどうかに基づいて、各サブシステムの入力パラメータを刈り込むためのプログラムコードと、
を実行するように構成された、非一時的コンピュータ可読媒体。
【請求項１２】
並列化すること、直列化すること、および／または刈り込むことを実行するための前記プログラムコードが、メモリストレージ要件、メモリアクセス時間、および／または計算時間に少なくとも部分的に依存する、請求項１１に記載の非一時的コンピュータ可読媒体。
【請求項１３】
前記プログラムコードが、ネットワークの接続性、および／または前記パラメータスイープの活動レベルを監視することに少なくとも部分的に基づいてサブシステムを定義するためのプログラムコードをさらに備える、請求項１１に記載の非一時的コンピュータ可読媒体。
【請求項１４】
前記プログラムコードが、前記スイープのすべてのステップについて、各サブシステムの出力を記憶するためのプログラムコードをさらに備える、請求項１３に記載の非一時的コンピュータ可読媒体。
【請求項１５】
前記プログラムコードが、パラメータ値の所望のセットを決定するために、前記システムの出力を評価するためのプログラムコードをさらに備える、請求項１１に記載の非一時的コンピュータ可読媒体。
【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
画像ディスプレイであって、
上面を有する少なくとも１つの有機発光ダイオード（ＯＬＥＤ）と、
前記上面と接触する高屈折率光結合層であって、ナノ構造化外面を有する、高屈折率光結合層と、を備える、画像ディスプレイ。
【請求項２】
方法であって、
光結合層（ＯＣＬ）前駆体をＯＬＥＤアレイの上面にコーティングし、平坦化されたＯＣＬ前駆体表面を形成することと、
前記ＯＣＬ前駆体がナノ構造化表面を少なくとも部分的に充填するように、前記ナノ構造化表面を有するテンプレートフィルムを前記ＯＣＬ前駆体表面上に積層することと、
前記ＯＣＬ前駆体を重合して、ナノ構造化ＯＣＬを形成することと、
前記テンプレートフィルムを除去することと、を含む、方法。
【請求項３】
方法であって、
光結合層（ＯＣＬ）前駆体をＯＬＥＤアレイの上面にコーティングし、平坦化されたＯＣＬ前駆体表面を形成することと、
ナノ構造化テンプレートフィルムとナノ構造化転写層とを含む転写フィルムの前記ナノ構造化転写層の平面外面が前記ＯＣＬ前駆体表面と接触するように、前記転写フィルムを前記ＯＣＬ前駆体表面上に積層することであって、前記転写フィルムが、埋め込まれたナノ構造化表面を含む、積層することと、
前記ＯＣＬ前駆体を重合して、前記ＯＣＬを形成し、前記ナノ構造化転写層の前記平面外面を前記ＯＣＬに接合することと、
前記ナノ構造化転写層から前記ナノ構造化テンプレートフィルムを除去することと、を含む、方法。
【請求項４】
方法であって、
光結合層（ＯＣＬ）前駆体をテンプレートフィルムのナノ構造化表面にコーティングすることと、
前記ＯＣＬ前駆体が主表面と接触するように、前記テンプレートフィルムをＯＬＥＤアレイの前記主表面上に積層することと、
前記ＯＣＬ前駆体を重合して、前記ＯＣＬを形成し、前記ＯＣＬを前記ＯＬＥＤアレイの前記主表面に接合することと、
前記テンプレートフィルムを除去することと、を含む、方法。
【請求項５】
方法であって、
ナノ構造化層が平面外面及び埋め込まれたナノ構造化表面を有するように、前記ナノ構造化層をテンプレートフィルムのナノ構造化表面に形成することと、
光結合層（ＯＣＬ）前駆体を前記平面外面にコーティングして、転写フィルムを形成することと、
前記ＯＣＬ前駆体が主表面と接触するように、前記転写フィルムをＯＬＥＤアレイの前記主表面上に積層することと、
前記ＯＣＬ前駆体を重合して、前記ＯＣＬを形成し、前記ＯＣＬを前記ＯＬＥＤアレイの前記主表面に接合することと、
前記ナノ構造化層から前記テンプレートフィルムを除去することと、を含む、方法。
【請求項６】
方法であって、
光結合層（ＯＣＬ）前駆体をＯＬＥＤアレイの上面にコーティングし、平坦化されたＯＣＬ前駆体表面を形成することと、
前記ＯＣＬ前駆体がナノ構造化表面を少なくとも部分的に充填するように、前記ナノ構造化表面を有するテンプレートフィルムを前記平坦化されたＯＣＬ前駆体表面上に積層することと、
選択された領域内の前記ＯＣＬ前駆体を重合して、非重合領域を有するパターン化ナノ構造化ＯＣＬを形成することと、
前記テンプレートフィルムを除去することと、
前記非重合領域を重合することと、を含む、方法。
【請求項７】
方法であって、
光結合層（ＯＣＬ）前駆体をＯＬＥＤアレイの上面にコーティングし、平坦化されたＯＣＬ前駆体表面を形成することと、
前記ＯＣＬ前駆体の選択された領域をマスキングして、重合を防止することと、
前記ＯＣＬ前駆体を重合して、非重合領域を有するパターン化ＯＣＬを形成することと、
転写フィルムの転写層が前記パターン化ＯＣＬの主表面と接触するように、前記転写フィルムを前記パターン化ＯＣＬ上に積層することであって、前記転写層が、平面外面及び埋め込まれたナノ構造化表面を含む、積層することと、
前記パターン化ＯＣＬから前記転写フィルムを除去し、前記転写層を前記選択された領域内に残すことと、
前記パターン化ＯＣＬの前記非重合領域を重合して、前記平面外側転写層を前記ＯＣＬの前記選択された領域に接合することと、を含む、方法。
【請求項８】
方法であって、
転写層が、平面外面及び埋め込まれたナノ構造化表面を有するように、前記転写層を転写フィルムのナノ構造化表面に形成することと、
光結合層（ＯＣＬ）前駆体を前記平面外面にコーティングすることと、
前記ＯＣＬ前駆体の選択された領域をマスキングして、重合を防止することと、
前記ＯＣＬ前駆体を重合して、非重合転写可能ＯＣＬ領域を有するパターン化ＯＣＬを形成することと、
前記非重合転写可能ＯＣＬ領域が主表面と接触するように、前記転写フィルムをＯＬＥＤアレイの前記主表面上に積層することと、
前記非重合転写可能ＯＣＬ領域を重合して、接合されたパターン化ナノ構造化ＯＣＬを前記ＯＬＥＤアレイの前記主表面に形成することと、
前記ＯＬＥＤアレイの前記主表面から前記転写フィルムを除去し、前記接合されたパターン化ナノ構造化ＯＣＬを前記ＯＬＥＤアレイの前記主表面に残すことと、を含む、方法。
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
放出される光の特性が調整可能である少なくとも１つの光源と、
クロックモジュールと、
前記光源と前記クロックモジュールとの間に動作可能に接続されたコントローラと、
周囲光レベルを感知する周囲光レベルセンサであって、前記コントローラが前記光源と前記周囲光レベルセンサ及び前記クロックモジュールの両者との間に動作可能に接続される、周囲光レベルセンサと、
を有する照明ユニットであって、
前記コントローラは前記クロックモジュールから時刻データを入力し、
前記コントローラは前記光の特性のためのフェードイン特性又はフェードアウト特性を前記時刻データに少なくとも部分的に基づいて自動的に選択し、
前記コントローラは前記クロックモジュールを校正するために、前記周囲光レベルセンサからの周囲光レベルデータを使用する、
照明ユニット。
【請求項２】
前記コントローラは前記周囲光レベルセンサから前記周囲光レベルデータを入力すると共に、前記クロックモジュールから時刻データを入力し、
前記コントローラは前記光の特性のための前記フェードイン特性又はフェードアウト特性を前記周囲光レベルデータ又は前記時刻データに少なくとも部分的に基づいて自動的に選択する、請求項１に記載の照明ユニット。
【請求項３】
遠隔の周囲光レベルセンサから周囲光レベルデータを入力し、及び／又は遠隔のクロックモジュールから時刻データを入力する通信モジュールを更に有する、請求項２に記載の照明ユニット。
【請求項４】
前記光の特性が前記少なくとも１つの光源により放出される光の輝度、カラー又は色温度である、請求項１に記載の照明ユニット。
【請求項５】
前記コントローラと前記少なくとも１つの光源との間に動作可能に接続された光源ドライバを更に有する、請求項１に記載の照明ユニット。
【請求項６】
前記少なくとも１つの光源がＬＥＤ型光源である、請求項１に記載の照明ユニット。
【請求項７】
少なくとも１つの光源、周囲光レベルセンサ、クロックモジュール並びに前記光源と前記周囲光レベルセンサ及び前記クロックモジュールの両方との間に動作可能に接続されたコントローラを有する照明ユニットを用いて光の特性のためのフェードイン特性を決定する方法であって、
前記コントローラにおいて前記周囲光レベルセンサから周囲光レベルデータを入力するステップと、
前記コントローラが前記クロックモジュールを校正するために、前記周囲光レベルセンサからの前記周囲光レベルデータを使用するステップと、
前記コントローラにおいて前記クロックモジュールから時刻データを入力するステップと、
フェードイン特性のリクエストを入力するステップと、
前記コントローラを用いて、前記光の特性のための前記フェードイン特性を前記入力された周囲光レベルデータ又は時刻データに少なくとも部分的に基づいて決定するステップと、
前記決定されたフェードイン特性を実行するステップと、
を有する、方法。
【請求項８】
前記少なくとも１つの光源がＬＥＤ型光源である、請求項７に記載の方法。
【請求項９】
前記光の特性が前記少なくとも１つの光源から放出される光の輝度又はカラーである、請求項７に記載の方法。
【請求項１０】
前記照明ユニットが全地球測位システム（ＧＰＳ）を有し、前記決定するステップが、前記フェードイン特性を全地球測位情報に少なくとも部分的に基づいて決定するステップを更に有する、請求項７に記載の方法。
【請求項１１】
少なくとも１つの光源、クロックモジュール及び前記光源と前記クロックモジュールとの間に動作可能に接続されたコントローラを有する照明ユニットを用いて光の特性のためのフェードアウト特性を決定する方法であって、
前記コントローラが前記クロックモジュールを校正するために、周囲光レベルセンサからの周囲光レベルデータを使用するステップと、
前記コントローラにおいて前記クロックモジュールから時刻データを入力するステップと、
フェードアウト特性のリクエストを入力するステップと、
前記コントローラを用いて、前記光の特性のための前記フェードアウト特性を前記時刻データに少なくとも部分的に基づいて決定するステップと、
前記決定されたフェードアウト特性を実行するステップと、
を有する、方法。
【請求項１２】
前記少なくとも１つの光源がＬＥＤ型光源である、請求項１１に記載の方法。
【請求項１３】
前記光の特性が前記少なくとも１つの光源から放出される光の輝度又はカラーである、請求項１１に記載の方法。
【請求項１４】
少なくとも１つのＬＥＤ型光源、周囲光レベルセンサ、クロックモジュール並びに前記光源と前記周囲光レベルセンサ及び前記クロックモジュールの両方との間に動作可能に接続されたコントローラを有する照明ユニットを用いて前記クロックモジュールを校正する方法であって、
前記コントローラにおいて前記周囲光レベルセンサから周囲光レベルデータを入力するステップと、
前記コントローラにおいて前記クロックモジュールから時刻データを入力するステップと、
前記少なくとも１つの光源をオンさせるリクエストを入力するステップと、
前記少なくとも１つの光源をオフさせるリクエストを入力するステップと、
前記コントローラにおいて前記周囲光レベルセンサから周囲光レベルデータを入力するステップと、
前記クロックモジュールからのデータを用いて、前記少なくとも１つの光源をオンさせる前記リクエストと前記少なくとも１つの光源をオフさせる前記リクエストとの間において如何なる量の時間が経過したかを決定するステップと、
前記少なくとも１つの光源をオンさせる前記リクエストが入力された時点及び前記少なくとも１つの光源をオフさせる前記リクエストが入力された時点から、如何なる量の時間が経過したか及び前記周囲光レベルデータの変化に少なくとも部分的に基づいて大凡の時刻を決定するステップと、
前記決定された大凡の時刻に基づいて前記クロックモジュールを調整するステップと、
を有する、方法。
【請求項１５】
放出される光の特性が調整可能である少なくとも１つの光源と、クロックモジュールと、メモリと、前記少なくとも１つの光源、前記クロックモジュール及び前記メモリに動作可能に接続されたコントローラとを有する照明システムを用いて照明シーンを決定する方法であって、
前記メモリに、複数の照明シーンの各々に対する実行可能な命令を記憶するステップと、
照明シーンに関するリクエストを入力するステップと、
周囲光レベルセンサが周囲光レベルを感知するステップであって、前記コントローラは前記光源と前記周囲光レベルセンサ及び前記クロックモジュールの両者との間に動作可能に接続される、ステップと、
前記コントローラが前記クロックモジュールを校正するために、前記周囲光レベルセンサからの周囲光レベルデータを使用するステップと、
前記コントローラにおいて前記クロックモジュールから時刻データを入力するステップと、
前記コントローラを用いて、前記複数の照明シーンのうちの１つに対する実行可能な命令を前記時刻データに少なくとも部分的に基づいて選択するステップと、
前記選択された実行可能な命令を実行するステップと、
を有する、方法。